(57)【要約】【課題】  一般的に用いられているダブルクリップに好適に利用することができ、資料をダブルクリップでとめて積み重ねたような場合においても、簡単に所望の資料を見つけることが可能なダブルクリップ用インデックスおよびこれを背板に装着してなるダブルクリップを提供する。  【解決手段】  ダブルクリップ２０の背板２２側に脱着して用いるダブルクリップ用インデックス１０であって、ダブルクリップの背板２２よりも幅狭に形成された板材を折り曲げて、被綴じ込み物を識別する文字や図形等の識別子を表示するためのインデックス片部１４と、インデックス片部１４との間でダブルクリップの背板２２を弾性的に挟持する係止片部１６とを設けたことを特徴とするダブルクリップ用インデックス１０およびこれを背板２２に装着してなるダブルクリップ２０である。【選択図】        図４
2005125598.tif 000002
【特許請求の範囲】
【請求項１】
ダブルクリップの背板側に脱着して用いるダブルクリップ用インデックスであって、
前記ダブルクリップの背板よりも幅狭に形成された板材を折り曲げて、被綴じ込み物を識別する文字や図形等の識別子を表示するためのインデックス片部と、
前記インデックス片部との間で前記ダブルクリップの背板を弾性的に挟持する係止片部とを設けたことを特徴とするダブルクリップ用インデックス。
【請求項２】
前記係止片部は、前記ダブルクリップの背板の内幅にほぼ等しい幅に形成されていることを特徴とする請求項１記載のダブルクリップ用インデックス。
【請求項３】
前記インデックス片部は、前記係止片部よりも幅狭に形成されていることを特徴とする請求項１または２に記載のダブルクリップ用インデックス。
【請求項４】
前記係止片部の先端部分には、前記インデックス片部から離反する方向に屈曲して形成された背板導入部が形成されていることを特徴とする請求項１〜３のうちのいずれか一項に記載のダブルクリップ用インデックス。
【請求項５】
前記インデックス片部には、透明カバーが着脱自在に設けられていることを特徴とする請求項１乃至４のいずれか一項に記載のダブルクリップ用インデックス。
【請求項６】
インデックス片部と前記透明カバーの間には、書込片が配設されていることを特徴とする請求項５記載のダブルクリップ用インデックス。
【請求項７】
請求項１〜６のうちのいずれか一項に記載されているダブルクリップ用インデックスを背板に装着してなることを特徴とするダブルクリップ。                                                           
【発明の詳細な説明】
【技術分野】
【０００１】
本発明は、ダブルクリップ用インデックスおよびこれを具備するダブルクリップに関し、より詳細には、ダブルクリップの背板側に表示部を設けるためのダブルクリップ用インデックスおよびこれを背板に装着してなるダブルクリップに関する。
【背景技術】
【０００２】
ダブルクリップは、それぞれ単独で存在している印刷物等や小冊子等の資料を取りまとめておくことができる有用な事務用品として広く用いられている。
しかしながら、折角取りまとめた資料であっても、資料の数が増加すれば、それぞれの資料を区別することができなくなってしまう。そこで、取りまとめた資料を区別するための方法として、紙面の縁部に資料の紙面方向と同方向にインデックスを取り付ける整理方法が用いられている。
しかしながら、取りまとめた資料を紙面方向に積み重ねたり、棚に収納してしまうと、紙面の厚さ方向（背部分）しか見えなくなることから、紙面と面方向を同じくして取り付けたインデックスでは容易に所望の資料を見つけることができない。
特許文献１には、取りまとめた資料を積み重ねたり棚に収納することにより、紙面の厚さ方向しか見えない場合であっても、所望の資料を迅速に見つけることが可能なダブルクリップが提案されている。
【特許文献１】登録実用新案公報第３０２５８６２号
【発明の開示】
【発明が解決しようとする課題】
【０００３】
特許文献１に開示されているクリップ４０は、図８に示す構成からなるものであり、ダブルクリップ４０の背板４２の幅方向の両端部分に内向きの折り曲げ庇部４４が形成され、ダブルクリップ４０の背板４２に見出し５０を挟持したものである。しかしながら、ここで使用しているダブルクリップにおいては、見出し５０を背板４２につけるために背板４２に折り曲げ庇部４４を設けた独自の構造であって、一般的に用いられているダブルクリップを有効活用することができないという課題がある。
【０００４】
本発明は、一般的に用いられているダブルクリップに好適に利用することができ、資料をダブルクリップでとめて積み重ねたような場合においても、簡単に所望の資料を見つけることが可能なダブルクリップ用インデックスおよびこれを背板に装着してなるダブルクリップを提供することを目的とする。
【課題を解決するための手段】
【０００５】
上記目的を達成するべく、本発明は以下の構成を備える。
すなわち、ダブルクリップの背板側に脱着して用いるダブルクリップ用インデックスであって、前記ダブルクリップの背板よりも幅狭に形成された板材を折り曲げて、被綴じ込み物を識別する文字や図形等の識別子を表示するためのインデックス片部と、前記インデックス片部との間で前記ダブルクリップの背板を弾性的に挟持する係止片部とを設けたことを特徴とするダブルクリップ用インデックスである。
【０００６】
また、前記係止片部は、前記ダブルクリップの背板の内幅にほぼ等しい幅に形成されていることを特徴とする。これにより、ダブルクリップに取り付けたダブルクリップ用インデックスのズレを防止することができる。
さらに、前記インデックス片部は、前記係止片部よりも幅狭に形成されていることを特徴とする。これにより、ダブルクリップにダブルクリップ用インデックスを取り付けたままであっても、非綴じ込み物へのダブルクリップの着脱が可能になる。
さらにまた、前記係止片部の先端部分には、前記インデックス片部から離反する方向に屈曲して形成された背板導入部が形成されていることを特徴とする。これによれば、ユーザがインデックス片部と係止片部との間に隙間ができるように互いを広げる操作をしなくても円滑に背板に取り付けることができる。
【０００７】
また、前記インデックス片部には透明カバーが着脱自在に設けられていることを特徴とする。
また、インデックス片部と前記透明カバーの間には書込片が配設されていることを特徴とする。これらにより、ダブルクリップ用インデックスに書き込んだ識別情報が消えてしまうことを防ぐことができると共に、ダブルクリップ用インデックスの見出しの交換が可能になり、使いまわしやすさが向上する。
【０００８】
また他の発明は、上記のうちのいずれかに記載されているダブルクリップ用インデックスを背板に装着してなることを特徴とするダブルクリップである。
【発明の効果】
【０００９】
本発明に係るダブルクリップ用インデックスおよびこれを具備するダブルクリップを採用することにより、取りまとめた資料の背部分にインデックスを付けることができる。
また、既存のダブルクリップをそのまま使用することができると共に、非常に容易にインデックスを取り付けることができるので、手間がかからないと共に、資源の有効利用が可能になる。
【発明を実施するための最良の形態】
【００１０】
以下、本発明の好適な実施の形態について添付図面を参照しながら詳細に説明する。図１は本実施の形態におけるダブルクリップ用インデックスの一部透視正面図である。図２は、図１の側面図である。
本実施の形態におけるダブルクリップ用インデックス１０（以下、単にインデックス１０ということがある）は、ダブルクリップ２０の背板２２の綴じ代を規定する側の幅と同一幅を有する薄板１２を弾性的に折り曲げて、被綴じ込み物を識別するための文字や図形等の識別子を表示するインデックス片部１４と、インデックス片部１４と共にダブルクリップ２０の背板２２を挟持する係止片部１６とにより構成されている。薄板１２のそれぞれの隅部分は面取り加工がなされている。
【００１１】
インデックス片部１４は薄板１２を弾性的に略Ｊ字状に折り曲げることにより係止片部１６と同時に形成される。
背板導入部１８は、図２に示すように、係止片部１６の先端部分をインデックス片部１４の裏面側から離反する方向に屈曲させることにより形成されている。背板導入部１８により、係止片部１６の先端部分にはインデックス片部１４と離間する部分が創出される。インデックス１０はダブルクリップ４０の背板４２に係止片部１６を差し込むようにして取り付けするので、ダブルクリップ２０にインデックス１０を係止する際において、ユーザが係止片部１６をインデックス片部１４から離反するように弾性変形させて背板２２を導入させる手間がなくなり、単純に背板２２を背板導入部１８に滑り込ませれば良いだけになる。
係止片部１６は、折り曲げ部分１６ａから係止片部１６の先端部にわたって徐々にインデックス片部１４に接近するように形成されている。これにより、インデックス片部１４と係止片部１６とが背板２２を適宜挟持することが可能になる。
【００１２】
ダブルクリップ２０について簡単に説明する。図３は、ダブルクリップの概略図である。
ダブルクリップ２０は、被綴じ込み物の綴じ代を規定する背板２２の両端に把持部２４を具備する二枚の押圧板２６が連結された構造になっている。把持部２４は、押圧板２６の先端に回動自在に取り付けられている。ダブルクリップ２０における背板２２と押圧板２６は、背板２２を底辺とした二等辺三角形状に形成されているので、二枚の押圧板２６により複数枚の印刷物やカタログ等の被綴じ込み物が挟持され、被綴じ込み物を取りまとめた状態が維持できる。
【００１３】
次に本実施の形態におけるインデックス１０の使用方法について説明する。図４は、本実施の形態におけるダブルクリップ用インデックスの使用状態の一例を示す説明図である。
被綴じ込み物をダブルクリップ２０により挟んだ状態で、背板２２にインデックス１０を取り付ける。具体的には、ダブルクリップ２０の背板２２を上側から、インデックス１０の背板導入部１８を進入させる。背板導入部１８に背板２２が進入すると、インデックス片部１４と係止片部１６が板バネとして作用し、インデックス片部１４と係止片部１６が背板２２を挟持するので背板２２にインデックス１０がしっかりと取り付けられる。
また、インデックス１０は背板２２の内側幅と同一幅に形成されているので、係止片部１６のズレが背板２２の両端縁に連結されている押圧板２６により規制される。これにより、インデックス１０がダブルクリップ２０の軸線に対して傾斜してしまうことがない。
【００１４】
インデックス片部１４の表面部分にはペン等で文言等を書き込むことができ、図４に示すようにダブルクリップ２０で綴じ込んだ綴じ込み物を識別するための文字や図形等による見出しをつけることができる。また、インデックス片部１４の表面に文字等をプリントしたシールを貼り付けて見出しとすることもできる。このように被綴じ込み物の側面に見出しがつけられているので、被綴じ込み物を綴じ込んだ状態で積み重ねたり本棚に並べた場合でも、被綴じ込み物の背側から見分けることができる。すなわち、すばやく所望の資料が入手でき、かつ、被綴じ込み物の判別が極めて容易になる。
【００１５】
さらに、被綴じ込み物へのダブルクリップ２０の取り付け位置を被綴じ込み物ごとに変えれば、インデックス１０の位置もそれぞれ異なるため、ダブルクリップ２０でまとめた被綴じ込み物が複数部集まった状態になっても、見出しとなるインデックス片部１４が重ならなくなる。これにより、見出し部が見やすくなり、被綴じ込み物の検索がより容易になると共に、被綴じ込み物を積み重ねたり、本棚に並べた際に、それぞれの被綴じ込み物に取り付けられているダブルクリップ２０が同じ高さ位置にならないので、互いに邪魔にならず好適である。
【００１６】
次に第２の実施の形態について説明する。図５は、ダブルクリップ用インデックスの第２の実施の形態を示す正面図である。
先の実施の形態においては、ダブルクリップ２０にインデックス１０を取り付けたまま被綴じ込み物の取りまとめや取り出しを行おうとすると、背板２２の取り付けられているインデックス片部１４が背板２２と同じ幅に形成されているため、押圧板２６を所定角度以上に開口させるべく、把持部２４を挟み込む操作をすると、把持部２４がインデックス片部１４の側部に干渉し、押圧板２６の開口角度が制限されてしまうおそれがある。
本実施の形態におけるインデックス１０は、インデックス片部１４の幅を背板２２の幅より狭くすることにより先の不具合の改善を図っている。
【００１７】
すなわち、本実施の形態における薄板１２は、係止片部の幅１６ｗをダブルクリップ２０の背板２２の内幅と略等しくしつつ、インデックス片部の幅１４ｗを係止片部の幅１６ｗより幅狭となるように形成されている。
先の実施の形態と同様にしてダブルクリップの背板２２にインデックス１０の係止片部１６を係止させると、本実施の形態の場合には、ダブルクリップ２０の背板２２の両端にある押圧板２６が係止片部１６のガイド板として作用し、しかも、係止片部１６の両端が押圧板２６に当接するように収められているので、ダブルクリップ２０に取り付けしたインデックス１０のずれが防止される。
また、見出しとなるインデックス片部１４が背板２２の幅より狭いため、押圧板２６を開口させるように把持部２４を握っても、把持部２４がインデックス片部１４の側面に干渉することがない。したがって、被綴じ込み物からダブルクリップ２０を着脱する際に、押圧板２６を開く妨げにならず、ダブルクリップ２０にインデックス１０を取り付けたままであっても、綴じ込み物の綴じ込みや取り出しを円滑に行うことが可能になる。
【００１８】
次に第３の実施の形態について説明する。図６は、ダブルクリップ用インデックスの第３の実施の形態を示す正面図である。図７は、第３の実施の形態におけるクリップ用インデックスの組立図である。
本実施の形態においては、インデックス１０のインデックス片部１４に書込片１４ａおよび透明カバー３０が配設されていることを特徴とする。透明カバー３０は、アクリル樹脂等の合成樹脂を用いることができる。
【００１９】
書込片１４ａは、インデックス片部１４とほぼ同形状に形成された紙片によりなっている。書込片１４ａには文字情報等が書き込み可能である。なお、書込片１４ａは書込み可能な薄手の材料片であれば、紙片に限定されるものではない。
透明カバー３０は、アクリル板等の合成樹脂からなる薄板を細長なＣの字状に折り曲げて形成している。透明カバー３０における内側の折り曲げ線３０ａ、３０ａの離間距離は、インデックス１０のインデックス片部１４の幅と略等しい幅となるように形成されている。このように形成された透明カバー３０に、インデックス片部１４および書込片１４ａを書込片１４ａが上側になるようにして差し込まれる。書込片１４ａと透明カバー３０は、インデックス１０の係止片部１６による板バネ作用およびインデックス片部１４との摩擦力によって、インデックス片部１４に差し込まれた状態が維持される。
以上に説明した構成を採用することにより、インデックス１０への書込片１４ａの交換が非常に簡単に行えるため好適である。
【００２０】
以上に本発明にかかるダブルクリップ用インデックスとこれを背板に装着してなるダブルクリップについて詳細に説明してきたが、本発明はこれらに限定されるものではなく、発明の要旨を変更しない範囲における変更をしたとしても本発明の技術的範囲に属するのは言うまでもない。
例えば、以上の実施の形態においてはインデックス１０をダブルクリップの背板２２の上側から係止する形態となっているが、ダブルクリップの背板２２の下側からインデックス１０を取り付ける形態であってもよい。
また、ダブルクリップ２０にインデックス１０を取り付けした後に、被綴じ込み物を綴じ込むようにして使用することもできるのはもちろんである。
【００２１】
さらに、透明カバー３０は細長のＣ字状に形成されているが、透明カバー３０を筒状体に形成し、インデックス片部１４を筒状体の中空部に挿入して取り付けする形態としても良い。
さらにまた、インデックス片部１４の色を変えることもできる。
【図面の簡単な説明】
【００２２】
【図１】本実施の形態におけるダブルクリップ用インデックスの一部透視正面図である。
【図２】図１の側面図である。
【図３】ダブルクリップの説明図である。
【図４】本実施の形態におけるダブルクリップ用インデックスの使用状態の一例を示す説明図である。
【図５】ダブルクリップ用インデックスの第２の実施の形態を示す正面図である。
【図６】ダブルクリップ用インデックスの第３の実施の形態を示す正面図である。
【図７】第３の実施の形態におけるダブルクリップ用インデックスの組立図である。
【図８】従来技術におけるクリップを示す説明図である。
【符号の説明】
【００２３】
１０  ダブルクリップ用インデックス
１４  インデックス片部
１４ａ  書込片
１６  係止片部
１８  背板導入部
２０  ダブルクリップ
２２  背板
２６  押圧板
３０  透明カバー
【図１】
2005125598.tif 000003
【図２】
2005125598.tif 000004
【図３】
2005125598.tif 000005
【図４】
2005125598.tif 000006
【図５】
2005125598.tif 000007
【図６】
2005125598.tif 000008
【図７】
2005125598.tif 000009
【図８】
2005125598.tif 000010